(57)【要約】【課題】部品点数を減らして、組み立て作業を軽減できるとともに、光漏れを防止できる、複数の導光レンズを連結したレンズ群を提供する。【解決手段】レンズ群１は、一体化して成形された透明樹脂からなり、６つの導光レンズ１０と、導光レンズ１０間を連結する５つの連結部２０と、レンズ群１をフロントパネルの裏面に固定する際に位置決めされる位置決め部３０と、を備える。導光レンズ１０は、導光レンズ１０の後方に配置されたＬＥＤから発光された光を受光する受光部１１、受光部１１で受光した光を上方に反射する第１の反射面１２、反射面１２で上方に反射された光を前方に反射する第２の反射面１３、及び第２の反射面１３から反射された光を外部に発光する発光部１４を備え、連結部２０は、コ字状に形成されている。【選択図】図１
2008096745.tif 000002
【特許請求の範囲】
【請求項１】
光源からの光を受光する受光部と、該受光部で受光した光を発光する発光部と、を備えた導光レンズを複数連結した形状で一体化して成形し、複数の光源からの光を複数の前記受光部でそれぞれ受光し、複数の前記発光部からそれぞれ発光するレンズ群であって、
隣接する前記導光レンズ間は、非直線的な形状で連結されていることを特徴とする複数の導光レンズを連結したレンズ群。
【請求項２】
前記非直線的な形状は、コ字状であることを特徴とする請求項１記載の複数の導光レンズを連結したレンズ群。
【請求項３】
前記複数の導光レンズの少なくとも１以上は、前記レンズ群を所定の機器に固定するための位置決め部を所定の一方向に延設していることを特徴とする請求項１又は２記載の複数の導光レンズを連結したレンズ群。
【請求項４】
前記受光部は、受光面を丸型の形状に形成していることを特徴とする請求項１乃至３のいずれか１項に記載の複数の導光レンズを連結したレンズ群。
【請求項５】
前記導光レンズは、
前記受光部からの光を反射させる第１の反射部と、
前記第１の反射部から反射された光を前記発光部に反射する第２の反射部と、
を備えることを特徴とする請求項１乃至４のいずれか１項に記載の複数の導光レンズを連結したレンズ群。
【発明の詳細な説明】
【技術分野】
【０００１】
本発明は、導光レンズに関し、特に、複数の導光レンズを連結して、一体化したレンズ群に関する。
【背景技術】
【０００２】
音響機器や映像機器などの電子機器は、電源のオン・オフ、所定の動作の起動／停止状態などをユーザに知らせるため、フロントパネルの所定位置に点灯表示部を設けている。このような点灯表示部には、導光レンズが広く用いられており、導光レンズは、例えば、電子機器の内部に配置したＬＥＤ（Light Emitting Diode；発光ダイオード）等の光源から光を受光し、この光をフロントパネルの所定位置まで導いて発光させるようにしている（例えば、特許文献１、２参照）。
【０００３】
【特許文献１】特開平６−２２２２１６号公報
【特許文献２】特開２００６−８４９９８号公報
【発明の開示】
【発明が解決しようとする課題】
【０００４】
一般に電子機器のフロントパネルには複数の点灯表示部が設けられているが、複数の点灯表示部ごとに導光レンズを設置すると、部品点数が増えて、組み立て工数も増加するという問題がある。
【０００５】
また、複数の点灯表示部が近接していると、導光レンズが隣のＬＥＤから発光された光を受光してしまうという問題、すなわち、隣の導光レンズに光漏れが生じるという問題もある。
【０００６】
本発明は、上記の問題を解決するためになされたものであり、その課題の一例としては、複数の近接する点灯表示部を備えた電子機器において、部品点数を減らして、組み立て作業を軽減できるとともに、光漏れを防止できる、複数の導光レンズを連結したレンズ群を提供することにある。
【課題を解決するための手段】
【０００７】
上記の課題を達成するため、請求項１記載の複数の導光レンズを連結したレンズ群は、光源からの光を受光する受光部と、該受光部で受光した光を発光する発光部と、を備えた導光レンズを複数連結した形状で一体化して成形し、複数の光源からの光を複数の前記受光部でそれぞれ受光し、複数の前記発光部からそれぞれ発光するレンズ群であって、隣接する前記導光レンズ間は、非直線的な形状で連結されていることを特徴とする。
【発明を実施するための最良の形態】
【０００８】
以下、本発明の実施の形態を図面を用いて説明する。
【０００９】
図１〜図３を参照して、本発明の実施の形態に係る複数の導光レンズ１０を連結したレンズ群１について説明する。
【００１０】
図１は、レンズ群１の外観斜視図、図２は、レンズ群１を電子機器（例えば、ＤＶＤレコーダ）のフロントパネル２の裏面に取り付ける状態を示す外観斜視図、図３は、レンズ群１及びＬＥＤ３を固着した基板４をフロントパネル２に取り付けた状態における断面図である。詳しくは、図１（ａ）は、導光レンズ１０の発光部１４側から見た外観斜視図、図１（ｂ）は、導光レンズ１０の受光部１１側（（図１（ａ）の背面方向）から見た外観斜視図、図１（ｃ）は、レンズ群１の連結部２０のコ字状の面を正面に向けたときの外観斜視図である。また、図２（ａ）は、レンズ群１をフロントパネル２に取り付ける前の状態、図２（ｂ）は、レンズ群１をフロントパネル２に取り付けた後の状態を示している。また、図３は、図２（ｂ）のＣ−Ｃ断面図である。
【００１１】
なお、以下の記載における前後方向とは、フロントパネル２に垂直な方向（図１〜３に図示するＡ方向）をいい、フロントパネル２から電子機器の筐体外に向かう方向を前方、フロントパネル２から電子機器の筐体内に向かう方向を後方とする。また、上下方向とは、フロントパネル２を有する電子機器を所定面に載置した状態における上下方向（図１〜３に図示するＢ方向）をいい、所定面から離れる方向を上方、所定面に近づく方向を下方とする。また、レンズ群１に関しては、レンズ群１をフロントパネル２に取り付けた状態における方向で前後方向及び上下方向を定義する。
【００１２】
レンズ群１は、一体化して成形された透明樹脂（例えば、アクリル、ポリスチレンなど）からなり、複数（本実施の形態においては６）の導光レンズ１０と、導光レンズ１０間を連結する複数（本実施の形態においては５）の連結部２０と、複数（本実施の形態においては２）の位置決め部３０と、を備えている。レンズ群１は、一体化して成形されているので、従来の複数の導光レンズそれぞれを個別にフロントパネル２に設置する場合と比して、部品点数を削減することができるとともに、組み立て作業の工数を大幅に減らすことができる構造となっている。
【００１３】
導光レンズ１０は、詳しくは、導光レンズ１０の後方に配置されたＬＥＤ３から発光された光を受光する受光部１１、受光部１１で受光した光を上方に反射する第１の反射面１２、反射面１２で上方に反射された光を前方に反射する第２の反射面１３、及び第２の反射面１３から反射された光を外部に発光する発光部（点灯表示部ともいう）１４を備えている。すなわち、本実施の形態の導光レンズ１０は、図３に示すように、ＬＥＤ３と点灯表示部１４を異なる高さに配置した場合に適した形状の導光レンズとなっており、ＬＥＤ３から発光された光を上方に導いて点灯表示させる構造である。勿論、本発明のレンズ群１を構成する導光レンズ１０の形状は、これ以外の形状であってもよく、例えば、ＬＥＤ３と点灯表示部１４を同一の高さに配置した場合に適した形状の導光レンズ１０（反射面を設けず、受光部１１から発行部１４に光が直進する導光レンズ）であってもよいし、ＬＥＤ３から発光された光を下方、左方、右方、または斜め方向に導いて点灯表示させる構造としてもよい。なお、受光部１１は、受光面を円形とすることで、ＬＥＤ３からの光を発散しにくくしている。
【００１４】
連結部２０は、コ字状に形成され、一の導光レンズ１０で受光した光を隣接した他の導光レンズ１０に漏れにくい構成としている。すなわち、一の導光レンズ１０で受光した光が隣の導光レンズ１０に到達するには、連結部２０を介して到達しなければならないが、連結部２０の形状が直線的ではなく、迂回するようなコ字状を形成しているので、光は隣の導光レンズ２０まで到達しにくいものである。なお、本実施の形態においては、連結部２０をコ字状に形成したが、連結部２０の形状はこれに限定されるものではなく、連結部２０を非直線状に形成して、一の導光レンズ１０で受光した光を隣接した他の導光レンズ１０に漏れにくい構成を採用するのであれば、どのような形状であってもよい。例えば、連結部２０をＵ字状やＶ字状などに形成してもよい。
【００１５】
位置決め部３０は、レンズ群１をフロントパネル２の裏面に固定する際に位置決めされる部位であり、複数の導光レンズ１０のうち、両端からそれぞれ２つ目の導光レンズ１０の発光部１４の上方に延設されている。詳しくは、図２に示すように、２つの位置決め部３０の位置決め孔３１に、フロントパネル２の裏面から突出した２つの挿入ピン２２を挿通して、レンズ群１を位置決めし、フロントパネル２に固定すると、複数の発光部１４はフロントパネル２のそれぞれの発光孔２１に位置づけられる。これにより、複数の導光レンズ１０を備えた構成であっても、個々の導光レンズ１０ごとに位置決めすることなく、位置決め部１５の位置合わせだけで、簡単にレンズ群１全体を位置決めすることができる。なお、本実施の形態では２箇所の位置決め部３０を設けるようにしたが、レンズ群１が備える位置決め部３０は１箇所であってもよいし、また、３箇所以上であってもよい。また、本実施の形態においては、位置決め部３０をレンズ群１の上方に延設したが、位置決め部３０を設ける方向はこれに限定されず、下方であっても、左右方向のいずれであってもよい。
【００１６】
以上、述べたように、本実施の形態に係る複数の導光レンズ１０を連結したレンズ群１によれば、複数の導光レンズを一体化して成形しているので、部品点数を減らすことができ、これにより、組み立て作業を軽減することができる。また、本実施の形態に係る複数の導光レンズ１０を連結したレンズ群１によれば、複数の導光レンズ１０が一体化された構造なので、位置決め部３０だけの位置合わせで、レンズ群１全体を簡単に位置決めすることができる。すなわち、組み立て工程の作業性を向上させることができる。
【００１７】
また、本実施の形態に係る導光レンズ１０を連結したレンズ群１によれば、成形する際に生じるランナー等の部品として使用しない部分を、連結部２０として有効に活用することができるので、成形時に使用する材料を削減することができる。
【００１８】
また、本実施の形態に係る導光レンズ１０を連結したレンズ群１によれば、導光レンズ１０間の連結部２０をコ字状に形成しているので、ＬＥＤ３から発光された光が隣の導光レンズに漏れる光漏れを防止することができる。
【００１９】
以上、本発明の実施の形態について説明してきたが、本発明の要旨を逸脱しない範囲において、本発明の実施の形態に対して種々の変形や変更を施すことができる。
【００２０】
例えば、上記実施の形態のレンズ群１では、複数の導光レンズ１０を横（左右）方向に一直線上に形成したが、複数の導光レンズ１０が連結される方向は横方向に限定されるものではなく、縦方向（上下方向）や、斜め方向に一直線上に形成するものであってもよい。また、複数の導光レンズ１０の連結方向は一直線上に限定されるものではなく、一直線上以外の方向であってもよい。
【図面の簡単な説明】
【００２１】
【図１】本発明の実施の形態に係るレンズ群の外観斜視図である。
【図２】本発明の実施の形態に係るレンズ群を電子機器のフロントパネルに取り付ける状態を示す外観斜視図である。
【図３】本発明の実施の形態に係るレンズ群をフロントパネルに取り付けた状態の断面図である。
【符号の説明】
【００２２】
１  レンズ群
２  フロントパネル
３  ＬＥＤ
４  基板
１０  導光レンズ
１１  受光部
１２，１３  反射面
１４  発光部
２０  連結部
３０  位置決め部
【図１】
2008096745.tif 000003
【図２】
2008096745.tif 000004
【図３】
2008096745.tif 000005